【手続補正書】
【提出日】平成22年5月19日(2010.5.19)
【手続補正１】
【補正対象書類名】特許請求の範囲
【補正対象項目名】全文
【補正方法】変更
【補正の内容】
【特許請求の範囲】
【請求項１】
ゲームの進行制御を行うゲーム進行制御手段を備えた複数のゲーム装置と、
該複数のゲーム装置のいずれかがジャックポット賞に当選するか又は該ジャックポット賞に当選しないハズレかを決定するジャックポット抽選を行う抽選手段と、該抽選手段が該ジャックポット賞の当選を決定したときに当選したゲーム装置に対して払い出すべき払出対象の量を含んだ量を示す払出量データを記憶する記憶手段と、該抽選手段が該ジャックポット賞の当選を決定したとき、該払出量データを該記憶手段から読み出し、読み出した払出量データが示す量の少なくとも一部の量の払出対象を当選したゲーム装置に対して払い出すための払出処理を行う払出処理手段と、所定の払出量増加条件を満たしたとき、該記憶手段に記憶されている払出量データが示す量を累積的に増加させる払出量増加手段とを備えたジャックポット抽選装置と、
該ジャックポット抽選装置と通信可能に接続され、該抽選手段がジャックポット賞の当選を決定したゲーム装置をプレイするプレイヤーに対して該ジャックポット賞への当選を知らせるジャックポット賞当選報知を行うために、当選報知命令を該ゲーム装置に送信する当選報知命令送信手段を備えた報知処理装置とを有するゲームシステムであって、
上記報知処理装置は、上記ジャックポット賞当選報知を行う場合、これに先だって、上記ジャックポット賞に当選するゲーム装置を含んだゲーム装置で構成される所定のグループに属する各ゲーム装置のプレイヤーに対して該所定のグループに属するゲーム装置のいずれかがジャックポット賞に当選する旨の事前報知を行うために、所定の条件に従って決定した事前報知時期についての情報を含む事前報知命令を該所定のグループに属する各ゲーム装置に送信する事前報知命令送信手段をさらに備え、
上記複数のゲーム装置は、上記報知処理装置から上記当選報知命令を受信した場合は上記ジャックポット賞当選報知を実行し、該報知処理装置から上記事前報知命令を受信した場合は上記事前報知を実行する報知手段をさらに備え、
上記ゲーム装置のゲーム進行制御手段は、上記報知処理装置から上記事前報知命令を受信した場合、該事前報知命令に従った事前報知時期が到来する時に上記報知手段で上記事前報知を実行可能である予め設定された状況となるように、ゲームの進行制御を行うことを特徴とするゲームシステム。
【請求項２】
請求項１のゲームシステムにおいて、
上記報知処理装置は、上記複数のゲーム装置に対して上記予め設定された状況となる時期を問い合わせる手段を備え、
上記複数のゲーム装置は、それぞれ、上記報知処理装置からの問い合わせに応じて、ゲームの進行状況が上記予め設定された状況となる時期を予測して、該時期を示す事前報知可能時期情報を上記報知処理装置へ送信する処理を行う時期予測処理手段を備えており、
上記報知処理装置は、各ゲーム装置から送信されてくる該事前報知可能時期情報を用いて上記所定の条件を判断して上記事前報知時期を決定する事前報知時期決定手段を備えることを特徴とするゲームシステム。
【請求項３】
請求項１又は２のゲームシステムにおいて、
上記ゲーム装置を３つ以上有し、
上記所定のグループは、上記ゲームシステムが有する３つ以上のゲーム装置のうちの一部である２以上のゲーム装置で構成されることを特徴とするゲームシステム。
【請求項４】
請求項３のゲームシステムにおいて、
上記ジャックポット抽選装置の抽選手段は、２以上のゲーム装置でそれぞれ構成される予め決められた複数のグループの中から上記所定のグループを選択するか又はいずれも選択しないハズレかを決定するグループ抽選を行い、該グループ抽選により該所定のグループが選択された場合、該所定のグループに属する２以上のゲーム装置の中からジャックポット賞に当選するゲーム装置を決定する当選装置抽選を行うことにより、上記ジャックポット抽選を行うことを特徴とするゲームシステム。
【請求項５】
請求項１乃至４のいずれか１項に記載のゲームシステムにおいて、
上記ジャックポット抽選装置の払出処理手段は、上記抽選手段が上記ジャックポット賞の当選を決定したとき、上記所定のグループに属する少なくとも一部のゲーム装置に対し、該ジャックポット賞の当選が決定したときに払い出される払出量よりも少ない量の払出対象を払い出すための少量払出処理を行うことを特徴とするゲームシステム。
【請求項６】
請求項５のゲームシステムにおいて、
上記ジャックポット抽選装置の抽選手段は、上記ジャックポット抽選のほか、上記所定のグループに属するゲーム装置の中から、上記ジャックポット賞の当選が決定したときに払い出される払出量よりも少ない量の払出対象の払い出しを受ける払出賞の当選装置を決定するための払出賞抽選も行うものであり、
上記ジャックポット抽選装置の払出処理手段は、該抽選手段が該払出賞の当選装置を決定したとき、該当選装置に対して上記少量払出処理を行い、
上記報知処理装置は、上記事前報知が行われた後に該抽選手段が該払出賞の当選装置でプレイするプレイヤーに対して該払出賞への当選を知らせる払出賞当選報知を行うために、払出賞当選報知命令を該当選装置に送信する払出賞当選報知処理を行うことを特徴とするゲームシステム。
【請求項７】
請求項６のゲームシステムにおいて、
上記報知処理装置は、上記払出賞当選報知が行われた後に上記ジャックポット賞当選報知が行われるように、上記当選報知命令を上記ジャックポット賞の当選を決定したゲーム装置に送信することを特徴とするゲームシステム。
【請求項８】
請求項５乃至７のいずれか１項に記載のゲームシステムにおいて、
上記払出処理手段は、上記抽選手段が上記ジャックポット賞の当選及び上記払出賞の当選装置を決定したとき、上記記憶手段から上記払出量データを読み出し、読み出した払出量データが示す量の一部の量の払出対象を該ジャックポット賞に当選したゲーム装置に対して払い出すための払出処理を行うとともに、上記少量払出処理として読み出した払出量データが示す量の残りの量の払出対象を該払出賞に当選したゲーム装置に対して払い出すための払出処理を行うことを特徴とするゲームシステム。
【請求項９】
請求項１乃至８のいずれか１項に記載のゲームシステムにおいて、
各ゲーム装置は、プレイヤーの視覚又は聴覚に訴える演出を行う演出手段を有し、各ゲーム装置が有するゲーム進行制御手段は、該演出手段を制御することによりゲームの進行に応じたゲーム演出制御を行うものであり、
上記報知処理装置が行う事前報知処理は、上記所定のグループに属する２以上のゲーム装置それぞれに備わった該演出手段を用いて行う事前報知用演出によって上記事前報知を行うための処理であり、
各ゲーム装置の上記報知手段は、該報知処理装置からの上記事前報知命令に従って該演出手段を制御し、上記所定の事前報知時期に該事前報知用演出の一部を担う演出を行うための事前報知用演出制御を行うことを特徴とするゲームシステム。
【請求項１０】
複数のゲーム装置のいずれかがジャックポット賞に当選するか又は該ジャックポット賞に当選しないハズレかを決定するジャックポット抽選を行う抽選手段と、該抽選手段が該ジャックポット賞の当選を決定したときに当選したゲーム装置に対して払い出すべき払出対象の量を含んだ量を示す払出量データを記憶する記憶手段と、該抽選手段が該ジャックポット賞の当選を決定したとき、該払出量データを該記憶手段から読み出し、読み出した払出量データが示す量の少なくとも一部の量の払出対象を当選したゲーム装置に対して払い出すための払出処理を行う払出処理手段と、所定の払出量増加条件を満たしたとき、該記憶手段に記憶されている払出量データが示す量を累積的に増加させる払出量増加手段とを備えたジャックポット抽選装置と通信可能に接続され、
該ジャックポット抽選装置の抽選手段がジャックポット賞の当選を決定したゲーム装置でプレイするプレイヤーに対して該ジャックポット賞への当選を知らせるジャックポット賞当選報知を行うために、当選報知命令を該ゲーム装置に送信する当選報知命令送信手段を備えた報知処理装置であって、
上記ジャックポット賞当選報知を行う場合、これに先だって、上記ジャックポット賞に当選するゲーム装置を含んだゲーム装置で構成される所定のグループに属する各ゲーム装置のプレイヤーに対して該所定のグループに属するゲーム装置のいずれかがジャックポット賞に当選した旨の事前報知を行うために、所定の条件に従って決定した事前報知時期についての情報を含む事前報知命令を該所定のグループに属する各ゲーム装置に送信する事前報知命令送信手段を有することを特徴とする報知処理装置。
【手続補正２】
【補正対象書類名】明細書
【補正対象項目名】０００７
【補正方法】変更
【補正の内容】
【０００７】
上記目的を達成するために、請求項１の発明は、ゲームの進行制御を行うゲーム進行制御手段を備えた複数のゲーム装置と、該複数のゲーム装置のいずれかがジャックポット賞に当選するか又は該ジャックポット賞に当選しないハズレかを決定するジャックポット抽選を行う抽選手段と、該抽選手段が該ジャックポット賞の当選を決定したときに当選したゲーム装置に対して払い出すべき払出対象の量を含んだ量を示す払出量データを記憶する記憶手段と、該抽選手段が該ジャックポット賞の当選を決定したとき、該払出量データを該記憶手段から読み出し、読み出した払出量データが示す量の少なくとも一部の量の払出対象を当選したゲーム装置に対して払い出すための払出処理を行う払出処理手段と、所定の払出量増加条件を満たしたとき、該記憶手段に記憶されている払出量データが示す量を累積的に増加させる払出量増加手段とを備えたジャックポット抽選装置と、該ジャックポット抽選装置と通信可能に接続され、該抽選手段がジャックポット賞の当選を決定したゲーム装置をプレイするプレイヤーに対して該ジャックポット賞への当選を知らせるジャックポット賞当選報知を行うために、当選報知命令を該ゲーム装置に送信する当選報知命令送信手段を備えた報知処理装置とを有するゲームシステムであって、上記報知処理装置は、上記ジャックポット賞当選報知を行う場合、これに先だって、上記ジャックポット賞に当選するゲーム装置を含んだゲーム装置で構成される所定のグループに属する各ゲーム装置のプレイヤーに対して該所定のグループに属するゲーム装置のいずれかがジャックポット賞に当選する旨の事前報知を行うために、所定の条件に従って決定した事前報知時期についての情報を含む事前報知命令を該所定のグループに属する各ゲーム装置に送信する事前報知命令送信手段をさらに備え、上記複数のゲーム装置は、上記報知処理装置から上記当選報知命令を受信した場合は上記ジャックポット賞当選報知を実行し、該報知処理装置から上記事前報知命令を受信した場合は上記事前報知を実行する報知手段をさらに備え、上記ゲーム装置のゲーム進行制御手段は、上記報知処理装置から上記事前報知命令を受信した場合、該事前報知命令に従った事前報知時期が到来する時に上記報知手段で上記事前報知を実行可能である予め設定された状況となるように、ゲームの進行制御を行うことを特徴とするものである。
また、請求項２の発明は、請求項１のゲームシステムにおいて、上記報知処理装置は、上記複数のゲーム装置に対して上記予め設定された状況となる時期を問い合わせる手段を備え、上記複数のゲーム装置は、それぞれ、上記報知処理装置からの問い合わせに応じて、ゲームの進行状況が上記予め設定された状況となる時期を予測して、該時期を示す事前報知可能時期情報を上記報知処理装置へ送信する処理を行う時期予測処理手段を備えており、上記報知処理装置は、各ゲーム装置から送信されてくる該事前報知可能時期情報を用いて上記所定の条件を判断して上記事前報知時期を決定する事前報知時期決定手段を備えることを特徴とするものである。
これらのゲームシステムにおいては、本システムを構成する複数のゲーム装置の一部又は全部で構成される所定のグループに属する各ゲーム装置のプレイヤーに対し、事前報知が行われる。この事前報知は、そのグループに属するいずれかのゲーム装置でプレイするプレイヤーがジャックポット賞に当選することを、ジャックポット賞当選報知を行う前に予め告知するものである。この事前報知を受けたプレイヤーは、実際にそうであるか否かに関わらず、通常、自分が当選する確率は当該所定のグループに属するプレイヤーの数を按分した確率であると思う。この確率は、ジャックポット抽選がハズレを含むことから、ジャックポット賞の当選確率よりも高いものとなる。よって、従来のようにこのような事前報知を行わずにプレイヤーに対して単にジャックポット抽選の抽選演出を行う場合に比べ、自分がジャックポット賞に当選するかもしれないというプレイヤーが抱く期待感を大きくすることができる。
【手続補正３】
【補正対象書類名】明細書
【補正対象項目名】０００８
【補正方法】変更
【補正の内容】
【０００８】
また、請求項３の発明は、請求項１又は２のゲームシステムにおいて、上記ゲーム装置を３つ以上有し、上記所定のグループは、上記ゲームシステムが有する３つ以上のゲーム装置のうちの一部である２以上のゲーム装置で構成されることを特徴とするものである。
上述したように、事前報知を受けたプレイヤーは、実際にそうであるか否かに関わらず、通常、自分が当選する確率は当該所定のグループに属するプレイヤーの数を按分した確率であると思う。本ゲームシステムにおいて、事前報知が行われる所定のグループは、本システムを構成する複数のゲーム装置の一部で構成されるので、所定のグループが本システムを構成する全部のゲーム装置で構成される場合に比べ、自分が当選する確率は高いものとプレイヤーは思うことになる。よって、本ゲームシステムによれば、所定のグループが本システムを構成する全部のゲーム装置で構成される場合に比べて、自分がジャックポット賞に当選するかもしれないというプレイヤーの期待感をより大きなものとすることができる。
【手続補正４】
【補正対象書類名】明細書
【補正対象項目名】０００９
【補正方法】変更
【補正の内容】
【０００９】
また、請求項４の発明は、請求項３のゲームシステムにおいて、上記ジャックポット抽選装置の抽選手段は、２以上のゲーム装置でそれぞれ構成される予め決められた複数のグループの中から上記所定のグループを選択するか又はいずれも選択しないハズレかを決定するグループ抽選を行い、該グループ抽選により該所定のグループが選択された場合、該所定のグループに属する２以上のゲーム装置の中からジャックポット賞に当選するゲーム装置を決定する当選装置抽選を行うことにより、上記ジャックポット抽選を行うことを特徴とするものである。
このゲームシステムにおいては、ジャックポット賞の当選を決定するジャックポット抽選が、グループ抽選を行った後にジャックポット賞の当選者を決める当選者抽選を行うという２段階の抽選である。これにより、ジャックポット賞の当選を決定する抽選処理を、グループ抽選と当選者抽選とに分け、分散処理することが可能となる。よって、多数のゲーム装置を含む大規模なゲームシステムを構築する場合でも、処理が集中することによるシステム全体のパフォーマンス低下等の不具合を回避できる。
【手続補正５】
【補正対象書類名】明細書
【補正対象項目名】００１０
【補正方法】変更
【補正の内容】
【００１０】
また、請求項５の発明は、請求項１乃至４のいずれか１項に記載のゲームシステムにおいて、上記ジャックポット抽選装置の払出処理手段は、上記抽選手段が上記ジャックポット賞の当選を決定したとき、上記所定のグループに属する少なくとも一部のゲーム装置に対し、該ジャックポット賞の当選が決定したときに払い出される払出量よりも少ない量の払出対象を払い出すための少量払出処理を行うことを特徴とするものである。
このゲームシステムでは、ジャックポット賞の当選者が出る所定のグループにおいて、ジャックポット賞の当選者になることができないプレイヤーでも、所定量の払出対象の払い出しを受けることができる。よって、本ゲームシステムでは、事前報知を受けたプレイヤーに対し、自分がジャックポット賞に当選するかもしれないという期待感だけでなく、仮にジャックポット賞に当選できなくても所定量の払出対象の払い出しを受けることができる可能性があるという期待感も抱かせることができる。したがって、事前報知を受けたプレイヤーの払出対象を獲得できるかもしれないという期待感をより大きくすることができる。
【手続補正６】
【補正対象書類名】明細書
【補正対象項目名】００１１
【補正方法】変更
【補正の内容】
【００１１】
また、請求項６の発明は、請求項５のゲームシステムにおいて、上記ジャックポット抽選装置の抽選手段は、上記ジャックポット抽選のほか、上記所定のグループに属するゲーム装置の中から、上記ジャックポット賞の当選が決定したときに払い出される払出量よりも少ない量の払出対象の払い出しを受ける払出賞の当選装置を決定するための払出賞抽選も行うものであり、上記ジャックポット抽選装置の払出処理手段は、該抽選手段が該払出賞の当選装置を決定したとき、該当選装置に対して上記少量払出処理を行い、上記報知処理装置は、上記事前報知が行われた後に該抽選手段が該払出賞の当選装置でプレイするプレイヤーに対して該払出賞への当選を知らせる払出賞当選報知を行うために、払出賞当選報知命令を該当選装置に送信する払出賞当選報知処理を行うことを特徴とするものである。
このゲームシステムにおいては、ジャックポット賞の当選者が出る所定のグループにおいて、ジャックポット賞の当選者になることができないプレイヤーでも、払出賞に当選すれば所定量の払出対象の払い出しを受けることができる。よって、本ゲームシステムでは、事前報知を受けたプレイヤーに対し、自分がジャックポット賞に当選するかもしれないという期待感だけでなく、仮にジャックポット賞に当選できなくても払出賞に当選するかもしれないという期待感も抱かせ、事前報知を受けたプレイヤーの期待感を大きくすることができる。
【手続補正７】
【補正対象書類名】明細書
【補正対象項目名】００１２
【補正方法】変更
【補正の内容】
【００１２】
また、請求項７の発明は、請求項６のゲームシステムにおいて、上記報知処理装置は、上記払出賞当選報知が行われた後に上記ジャックポット賞当選報知が行われるように、上記当選報知命令を上記ジャックポット賞の当選を決定したゲーム装置に送信することを特徴とするものである。
このゲームシステムにおいては、より多くの払出対象を獲得できるジャックポット賞の当選報知を遅らせることで、事前報知による自分がジャックポット賞に当選するかもしれないという期待感を増幅させることができる。
【手続補正８】
【補正対象書類名】明細書
【補正対象項目名】００１３
【補正方法】変更
【補正の内容】
【００１３】
また、請求項８の発明は、請求項５乃至７のいずれか１項に記載のゲームシステムにおいて、上記払出処理手段は、上記抽選手段が上記ジャックポット賞の当選及び上記払出賞の当選装置を決定したとき、上記記憶手段から上記払出量データを読み出し、読み出した払出量データが示す量の一部の量の払出対象を該ジャックポット賞に当選したゲーム装置に対して払い出すための払出処理を行うとともに、上記少量払出処理として読み出した払出量データが示す量の残りの量の払出対象を該払出賞に当選したゲーム装置に対して払い出すための払出処理を行うことを特徴とするものである。
このゲームシステムにおいては、ジャックポット賞についてのペイアウト率管理とは別に、払出賞の分のペイアウト率の管理を行う必要がなくなるので、ペイアウト率の管理が容易となる。
【手続補正９】
【補正対象書類名】明細書
【補正対象項目名】００１４
【補正方法】変更
【補正の内容】
【００１４】
また、請求項９の発明は、請求項１乃至８のいずれか１項に記載のゲームシステムにおいて、各ゲーム装置は、プレイヤーの視覚又は聴覚に訴える演出を行う演出手段を有し、各ゲーム装置が有するゲーム進行制御手段は、該演出手段を制御することによりゲームの進行に応じたゲーム演出制御を行うものであり、上記報知処理装置が行う事前報知処理は、上記所定のグループに属する２以上のゲーム装置それぞれに備わった該演出手段を用いて行う事前報知用演出によって上記事前報知を行うための処理であり、各ゲーム装置の上記報知手段は、該報知処理装置からの上記事前報知命令に従って該演出手段を制御し、上記所定の事前報知時期に該事前報知用演出の一部を担う演出を行うための事前報知用演出制御を行うことを特徴とするものである。
このゲームシステムにおいては、所定のグループに属する２以上のゲーム装置がそれぞれのゲームの演出に使用する演出手段に、事前報知用演出の一部を担う演出を行わせることで、所定のグループに属する２以上のゲーム装置が互いに連携した単一の全体演出（事前報知用演出）を行うことができる。そして、この全体演出によって、当該所定のグループに属するいずれかのゲーム装置でプレイするプレイヤーがジャックポット賞に当選したことをプレイヤーに知らせることができる。この全体演出は、当該所定のグループに属する各ゲーム装置の演出手段によって行われるので、これらのゲーム装置でプレイするプレイヤーの意識をジャックポット抽選に向けるのに効果的である。
【手続補正１０】
【補正対象書類名】明細書
【補正対象項目名】００１５
【補正方法】変更
【補正の内容】
【００１５】
また、請求項１０の発明は、複数のゲーム装置のいずれかがジャックポット賞に当選するか又は該ジャックポット賞に当選しないハズレかを決定するジャックポット抽選を行う抽選手段と、該抽選手段が該ジャックポット賞の当選を決定したときに当選したゲーム装置に対して払い出すべき払出対象の量を含んだ量を示す払出量データを記憶する記憶手段と、該抽選手段が該ジャックポット賞の当選を決定したとき、該払出量データを該記憶手段から読み出し、読み出した払出量データが示す量の少なくとも一部の量の払出対象を当選したゲーム装置に対して払い出すための払出処理を行う払出処理手段と、所定の払出量増加条件を満たしたとき、該記憶手段に記憶されている払出量データが示す量を累積的に増加させる払出量増加手段とを備えたジャックポット抽選装置と通信可能に接続され、該ジャックポット抽選装置の抽選手段がジャックポット賞の当選を決定したゲーム装置でプレイするプレイヤーに対して該ジャックポット賞への当選を知らせるジャックポット賞当選報知を行うために、当選報知命令を該ゲーム装置に送信する当選報知命令送信手段を備えた報知処理装置であって、上記ジャックポット賞当選報知を行う場合、これに先だって、上記ジャックポット賞に当選するゲーム装置を含んだゲーム装置で構成される所定のグループに属する各ゲーム装置のプレイヤーに対して該所定のグループに属するゲーム装置のいずれかがジャックポット賞に当選した旨の事前報知を行うために、所定の条件に従って決定した事前報知時期についての情報を含む事前報知命令を該所定のグループに属する各ゲーム装置に送信する事前報知命令送信手段を有することを特徴とするものである。
この報知処理装置においては、複数のゲーム装置及びジャックポット抽選装置と協働することで、事前報知を受けたプレイヤーに対して自分がジャックポット賞に当選するかもしれないという大きな期待感を抱かせることができる。
??
??
??
??